(57)【要約】      （修正有）【課題】移動局装置と基地局装置との間の移動速度管理を効率的に行うことによって、消費電力の削減および無線リソースの利用効率を向上させる。【解決手段】基地局装置２は、移動局装置１に対して速度推定停止メッセージを送信し（ステップＳ１０１）、移動局装置１は実行中の移動速度の判定処理を停止する（ステップＳ１０２）。移動局装置１は、その時点で移動局装置１が保持している推定した移動速度に関する状態の情報を基地局装置２へ報告する（ステップＳ１０３）。基地局装置２は、速度推定を停止している移動局装置１に対して速度推定開始メッセージを送信し（ステップＳ１０４）、速度推定開始を受信した移動局装置１は、停止中の移動速度の判定処理を開始（再開）する（ステップＳ１０５）。【選択図】図３
2014023017.tif 000002
【特許請求の範囲】
【請求項１】
移動局装置と基地局装置から構成される通信システムにおける移動局装置であって、
前記移動局装置の移動速度に関する状態を推定し、前記移動速度に関する状態の情報を前記基地局装置に送信し、前記基地局装置からの通知に基づいて前記移動速度に関する状態の推定を開始または停止することを特徴とする移動局装置。
【請求項２】
前記移動速度に関する状態の推定が停止されたときに、前記移動速度に関する状態の情報を前記基地局装置に送信することを特徴とする請求項１に記載の移動局装置。
【請求項３】
前記基地局装置に送信する前記移動速度に関する状態の情報は、前記移動局装置が推定した移動速度の状態を示すことを特徴とする請求項１に記載の移動局装置。
【請求項４】
前記移動速度の状態は、通常モビリティ状態、中間モビリティ状態、高速モビリティ状態に分類されることを特徴とする請求項３に記載の移動局装置。
【請求項５】
前記基地局装置に送信する前記移動速度に関する状態の情報は、前記移動局装置が移動したセル情報および時間情報であることを特徴とする請求項１に記載の移動局装置。
【請求項６】
前記基地局装置の通知に基づいて前記移動速度に関する状態の推定を停止した場合、保持している移動速度の推定に用いる情報をリセットすることを特徴とする請求項１に記載の移動局装置。
【請求項７】
移動局装置と基地局装置から構成される通信システムにおける移動局装置であって、
前記移動速度に関する状態の情報を前記基地局装置に送信し、前記基地局装置から通知された前記移動局装置の移動速度に関する状態を更新し、更新した前記移動局装置の移動速度に関する状態に基づいてイベント条件を評価することを特徴とする移動局装置。
【請求項８】
移動局装置と基地局装置から構成される通信システムにおける基地局装置であって、
前記移動局装置に対し、前記移動局装置の移動速度に関する状態の情報の送信を指示し、前記移動速度に関する状態の推定を開始または停止を通知することを特徴とする基地局装置。
【請求項９】
前記移動局装置の前記移動速度に関する状態の推定の停止を指示することによって、前記移動速度に関する状態の情報を前記基地局装置に送信させることを特徴とする請求項８に記載の基地局装置。
【請求項１０】
前記移動速度に関する状態の情報に基づいて、前記移動局装置の移動速度に関する状態を推定することを特徴とする請求項８に記載の基地局装置。
【請求項１１】
推定した前記移動局装置の移動速度に関する状態を前記移動局装置に通知することによって、前記移動局装置の移動速度に関する状態を更新することを特徴とする請求項１０に記載の基地局装置。
【請求項１２】
移動局装置と基地局装置から構成される通信システムであって、
前記基地局装置は、
前記移動局装置に対し、前記移動局装置の移動速度に関する状態の情報の送信を指示し、
前記移動局装置は、
前記移動速度に関する状態の情報を前記基地局装置に送信し、前記基地局装置からの通知に基づいて前記移動速度に関する状態の推定を開始または停止することを特徴とする通信システム。
【請求項１３】
移動局装置と基地局装置から構成される通信システムであって、
前記基地局装置は、
前記移動局装置に対し、前記移動局装置の移動速度に関する状態の情報の送信を指示し、前記移動速度に関する状態の情報に基づいて前記移動局装置の移動速度に関する状態を推定し、推定した前記移動局装置の移動速度に関する状態を前記移動局装置に通知し、
前記移動局装置は、
前記移動速度に関する状態の情報を前記基地局装置に送信し、前記基地局装置から通知された前記移動局装置の移動速度に関する状態を更新し、更新した前記移動局装置の移動速度に関する状態に基づいてイベント条件を評価することを特徴とする通信システム。
【請求項１４】
移動局装置と基地局装置から構成される通信システムにおける移動局装置の通信方法であって、
前記移動局装置の移動速度に関する状態を推定するステップと、前記移動速度に関する状態の情報を前記基地局装置に送信するステップと、前記基地局装置からの通知に基づいて前記移動速度に関する状態の推定を開始または停止するステップと、を備えることを特徴とする通信方法。
【請求項１５】
移動局装置と基地局装置から構成される通信システムにおける移動局装置の通信方法であって、
前記移動速度に関する状態の情報を前記基地局装置に送信するステップと、前記基地局装置から通知された前記移動局装置の移動速度に関する状態を更新するステップと、更新した前記移動局装置の移動速度に関する状態に基づいてイベント条件を評価するステップと、を備えることを特徴とする通信方法。
【請求項１６】
移動局装置と基地局装置から構成される通信システムの通信方法であって、
前記基地局装置は、
前記移動局装置に対し、前記移動局装置の移動速度に関する状態の情報の送信を指示するステップを備え、
前記移動局装置は、
前記移動速度に関する状態の情報を前記基地局装置に送信するステップと、前記基地局装置からの通知に基づいて前記移動速度に関する状態の推定を開始または停止するステップを備えることを特徴とする通信方法。
【請求項１７】
移動局装置と基地局装置から構成される通信システムの通信方法であって、
前記基地局装置は、
前記移動局装置に対し、前記移動局装置の移動速度に関する状態の情報の送信を指示するステップと、前記移動速度に関する状態の情報に基づいて前記移動局装置の移動速度に関する状態を推定するステップと、推定した前記移動局装置の移動速度に関する状態を前記移動局装置に通知するステップと、を備え、
前記移動局装置は、
前記移動速度に関する状態の情報を前記基地局装置に送信するステップと、前記基地局装置から通知された前記移動局装置の移動速度に関する状態を更新するステップと、更新した前記移動局装置の移動速度に関する状態に基づいてイベント条件を評価するステップと、を備えることを特徴とする通信方法。
【請求項１８】
移動局装置と基地局装置から構成される通信システムにおける移動局装置に搭載される集積回路であって、
前記移動局装置の移動速度に関する状態を推定する機能と、前記移動速度に関する状態の情報を前記基地局装置に送信する機能と、前記基地局装置からの通知に基づいて前記移動速度に関する状態の推定を開始または停止する機能と、を有することを特徴とする集積回路。
【請求項１９】
移動局装置と基地局装置から構成される通信システムにおける移動局装置に搭載される集積回路であって、
前記移動速度に関する状態の情報を前記基地局装置に送信する機能と、前記基地局装置から通知された前記移動局装置の移動速度に関する状態を更新する機能と、更新した前記移動局装置の移動速度に関する状態に基づいてイベント条件を評価する機能と、を有することを特徴とする集積回路。
【請求項２０】
移動局装置と基地局装置から構成される通信システムにおける基地局装置に搭載される集積回路であって、
前記移動局装置に対し、前記移動局装置の移動速度に関する状態の情報の送信を指示する機能と、前記移動速度に関する状態の推定を開始または停止を通知する機能と、を有することを特徴とする集積回路。
【発明の詳細な説明】
【技術分野】
【０００１】
本発明の実施形態は、移動局装置と基地局装置との間の移動速度管理を効率的に行うことによって、消費電力の削減および無線リソースの利用効率を向上させる移動局装置、基地局装置、通信システム、通信方法および集積回路に関する。
【背景技術】
【０００２】
標準化プロジェクトである３ＧＰＰ（3rd Generation Partnership Project）において、ＯＦＤＭ（Orthogonal Frequency-Division Multiplexing）通信方式やリソースブロックと呼ばれる所定の周波数・時間単位の柔軟なスケジューリングの採用によって、高速な通信を実現させたＥｖｏｌｖｅｄ  Ｕｎｉｖｅｒｓａｌ  Ｔｅｒｒｅｓｔｒｉａｌ  Ｒａｄｉｏ  Ａｃｃｅｓｓ（以降EUTRAと称する）の標準化が行なわれた。
【０００３】
また、３ＧＰＰでは、より高速なデータ伝送を実現し、ＥＵＴＲＡに対して上位互換性を持つＡｄｖａｎｃｅｄ  ＥＵＴＲＡの議論を行っている。ＥＵＴＲＡや、Ａｄｖａｎｃｅｄ  ＥＵＴＲＡでは、高速なデータ通信を実現するだけでなく、移動局装置上で常時動作する複数のアプリケーションによって移動局装置の消費電力が増加するという問題や、該アプリケーションによって消費される無線リソースが増加するという問題についての議論もまた行われている（非特許文献１、非特許文献２）。
【先行技術文献】
【非特許文献】
【０００４】
【非特許文献１】3GPP TR 36.822 V0.2.0 (2011-11), LTE RAN Enhancements for Diverse Data Applicationshttp://www.3gpp.org/ftp/Specs/html-info/36822.htm
【０００５】
【非特許文献２】R2-116036, Signaling considerations for background traffic, 3GPP TSG-RAN WG2 meeting #76, San Francisco, November 14-18ftp://ftp.3gpp.org/tsg_ran/WG2_RL2/TSGR2_76/Docs/R2-116036.zip
【発明の概要】
【発明が解決しようとする課題】
【０００６】
移動局装置の消費電力量は、移動局装置の接続状態および移動性（モビリティ、Ｍｏｂｉｌｉｔｙ）状態に影響されることが知られている。例えば、非特許文献２に示されるように、移動局装置が接続状態であるときは、移動局装置が移動する際にハンドオーバーのためのシグナリングが発生するが、その一方で、移動局装置が非接続状態である時は、移動する際にハンドオーバーのためのシグナリグは発生しない。そのため、移動局装置が高速（Ｈｉｇｈ  ｍｏｂｉｌｉｔｙ）であり、かつトラフィック量が少ない場合は、移動局装置の消費電力量を減らすために非接続状態に移行するのが良いかもしれない。
【０００７】
また、移動局装置が低速（Ｌｏｗ  ｍｏｂｉｌｉｔｙ）であり、かつトラフィック量が少ない場合はハンドオーバーによるシグナリング量はほとんど増加しないため、接続に必要なシグナリグを削減するために接続状態を維持する方が良いかもしれない。
【０００８】
しかしながら、今のＥＵＴＲＡでは、移動局装置によって移動速度が推定されるため、実際の移動局装置の移動速度とは異なる可能性があった。特に、推定される移動速度は、ある時間内に移動局装置がセルを何回移動したかという回数によって推定されるため、移動してきたセルのセル半径によって異なる移動速度が推定されるという問題があった。すなわち、移動局装置が推定する移動速度の信頼度が低いのであれば、基地局装置が移動速度に基づいて制御を行うことは、かえって移動局装置の消費電力量や無線リソース量の消費を増加させるという懸念がある。
【０００９】
上記の課題を鑑みて、本発明の実施形態の目的は、移動局装置と基地局装置との間の移動速度管理を効率的に行うことによって、消費電力の削減および無線リソースの利用効率を向上させる移動局装置、基地局装置、通信システム、通信方法および集積回路を提供することを目的とする。
【課題を解決するための手段】
【００１０】
上記の目的を達成するために以下のような手段を講じた。すなわち、本発明の実施形態における移動局装置は、移動局装置の移動速度に関する状態を推定する手段と、基地局装置からの通知に基づいて移動速度に関する状態を推定するために必要な情報を基地局装置に送信する手段と、基地局装置からの通知に基づいて移動速度に関する状態の推定を開始または停止するという手段を含む、移動局装置と基地局装置から構成される通信システムにおける移動局装置である。
【００１１】
また、発明の実施形態における移動局装置は、移動速度に関する状態の情報を基地局装置に送信する手段と、基地局装置から通知された際に移動局装置の移動速度に関する状態を更新する手段と、更新した移動局装置の移動速度に関する状態に基づいてイベント条件を評価するという手段を含む、移動局装置と基地局装置から構成される通信システムにおける移動局装置である。これにより、移動局装置は、信頼度の低い移動速度の推定結果に基づく制御が行われなくなるため、移動局装置の消費電力の削減および無線リソースの利用効率を向上することができる。
【００１２】
また、発明の実施形態における基地局装置は、移動局装置で推定した移動局装置の移動速度に関する状態の情報の送信を指示する手段と、移動局装置で実施している移動局装置の移動速度に関する状態の推定の処理の開始または停止を通知するという手段を含む、移動局装置と基地局装置から構成される通信システムにおける基地局装置である。これにより、基地局装置は、移動局装置毎に移動速度の推定結果に基づく制御の開始または停止が指示できるため、移動局装置の消費電力の削減および無線リソースの利用効率を向上するスケジューリングを実施することができる。
【００１３】
また、発明の実施形態における通信システムは、移動局装置と基地局装置から構成される通信システムであって、基地局装置は、移動局装置の移動速度に関する状態の情報の送信を指示するという手段を含み、移動局装置は、移動速度に関する状態の情報を基地局装置に送信する手段と、基地局装置からの通知に基づいて移動速度に関する状態の推定を開始または停止するという手段を含む通信システムである。
【００１４】
また、発明の実施形態における通信システムは、移動局装置と基地局装置から構成される通信システムであって、基地局装置は、移動局装置の移動速度に関する状態の情報の送信を指示する手段と、送信された移動速度に関する状態の情報に基づいて移動局装置の移動速度に関する状態を推定する手段と、推定した移動局装置の移動速度に関する状態を移動局装置に通知するという手段を含み、移動局装置は、移動速度に関する状態の情報を基地局装置に送信する手段と、基地局装置から通知された移動局装置の移動速度に関する状態を更新する手段と、更新した移動局装置の移動速度に関する状態に基づいてイベント条件を評価するという手段を含む通信システムである。これにより、移動局装置と基地局装置は、信頼度の低い移動速度の推定結果に基づく制御が行われなくなるため、スケジューリングを効率的に行うことで移動局装置の消費電力の削減および無線リソースの利用効率を向上することができる。
【００１５】
また、発明の実施形態における通信方法は、移動局装置と基地局装置から構成される通信システムにおける移動局装置の通信方法であって、移動局装置の移動速度に関する状態を推定するステップと、移動速度に関する状態の情報を基地局装置に送信するステップと、基地局装置からの通知に基づいて移動速度に関する状態の推定を開始または停止するステップと、を備える通信方法である。
【００１６】
また、発明の実施形態における通信方法は、移動局装置と基地局装置から構成される通信システムにおける移動局装置の通信方法であって、移動速度に関する状態の情報を基地局装置に送信するステップと、基地局装置から通知された移動局装置の移動速度に関する状態を更新するステップと、更新した移動局装置の移動速度に関する状態に基づいてイベント条件を評価するステップと、を備える通信方法である。
【００１７】
また、発明の実施形態における通信方法は、移動局装置と基地局装置から構成される通信システムの通信方法であって、基地局装置は、移動局装置の移動速度に関する状態の情報の送信を指示するステップを備え、移動局装置は、移動速度に関する状態の情報を基地局装置に送信するステップと、基地局装置からの通知に基づいて移動速度に関する状態の推定を開始または停止する通信方法である。
【００１８】
また、発明の実施形態における通信方法は、移動局装置と基地局装置から構成される通信システムの通信方法であって、基地局装置は、移動局装置の移動速度に関する状態の情報の送信を指示するステップと、移動速度に関する状態の情報に基づいて移動局装置の移動速度に関する状態を推定するステップと、推定した移動局装置の移動速度に関する状態を移動局装置に通知するステップと、を備え、移動局装置は、移動速度に関する状態の情報を基地局装置に送信するステップと、基地局装置から通知された移動局装置の移動速度に関する状態を更新するステップと、更新した移動局装置の移動速度に関する状態に基づいてイベント条件を評価するステップと、を備える通信方法である。これにより、移動局装置と基地局装置は、信頼度の低い移動速度の推定結果に基づく制御が行われなくなるため、スケジューリングを効率的に行うことで移動局装置の消費電力の削減および無線リソースの利用効率を向上する通信方法を実現することができる。
【００１９】
また、発明の実施形態における集積回路は、移動局装置と基地局装置から構成される通信システムにおける移動局装置に搭載される集積回路であって、移動局装置の移動速度に関する状態を推定する機能と、移動速度に関する状態の情報を基地局装置に送信する機能と、基地局装置からの通知に基づいて移動速度に関する状態の推定を開始または停止する機能と、を有する集積回路である。
【００２０】
また、発明の実施形態における集積回路は、移動局装置と基地局装置から構成される通信システムにおける移動局装置に搭載される集積回路であって、移動速度に関する状態の情報を基地局装置に送信する機能と、基地局装置から通知された移動局装置の移動速度に関する状態を更新する機能と、更新した移動局装置の移動速度に関する状態に基づいてイベント条件を評価する機能と、を有する集積回路である。
【００２１】
また、発明の実施形態における集積回路は、移動局装置と基地局装置から構成される通信システムにおける基地局装置に搭載される集積回路であって、移動局装置の移動速度に関する状態の情報の送信を指示する機能と、移動速度に関する状態の推定を開始または停止を通知する機能と、を有する集積回路である。移動局装置と基地局装置は、信頼度の低い移動速度の推定結果に基づく制御が行われなくなるため、スケジューリングを効率的に行うことで移動局装置の消費電力の削減および無線リソースの利用効率を向上する集積回路を実現することができる。
【００２２】
本明細書では、消費電力の削減および無線リソースの利用効率を向上させる移動局装置、基地局装置、通信システム、通信方法および集積回路という点において各実施形態を開示するが、各実施形態に対して適用可能な通信方式は、ＥＵＴＲＡまたはＡｄｖａｎｃｅｄ  ＥＵＴＲＡのようにＥＵＴＲＡと上位互換性のある通信方式に限定されるものではない。
【００２３】
例えば、本明細書で述べられる技術は、符号分割多重アクセス（ＣＤＭＡ）システム、時分割多重アクセス（ＴＤＭＡ）システム、周波数分割多重アクセス（ＦＤＭＡ）システム、直交ＦＤＭＡ（ＯＦＤＭＡ）システム、シングルキャリアＦＤＭＡ（ＳＣ−ＦＤＭＡ）システム、およびその他のシステム等の、種々の通信システムにおいて使用され得る。また、本明細書において、システムとネットワークは同義的に使用され得る。
【００２４】
また、移動局装置と基地局装置は、キャリア・アグリゲーションによって複数の異なる周波数バンド（周波数帯）の周波数（コンポーネントキャリア、または周波数帯域）を集約（アグリゲート、ａｇｇｒｅｇａｔｅ）して一つの周波数（周波数帯域）のように扱う技術を適用してもよい。コンポーネントキャリアには、上りリンクに対応する上りリンクコンポーネントキャリアと、下りリンクに対応する下りリンクコンポーネントキャリアとがある。
【００２５】
例えば、キャリア・アグリゲーションによって周波数帯域幅が２０ＭＨｚのコンポーネントキャリアを５つ集約した場合、キャリア・アグリゲーションを可能な能力を持つ移動局装置はこれらを一つの１００ＭＨｚの周波数帯域幅とみなして送受信を行う。なお、集約するコンポーネントキャリアは連続した周波数であっても、全てまたは一部が不連続となる周波数であってもよい。例えば、使用可能な周波数バンドが８００ＭＨｚ帯、２．４ＧＨｚ帯、３．４ＧＨｚ帯である場合、あるコンポーネントキャリアが８００ＭＨｚ帯、別のコンポーネントキャリアが２ＧＨｚ帯、さらに別のコンポーネントキャリアが３．４ＧＨｚ帯で送信されていてもよい。
【００２６】
また、同一周波数帯の連続または不連続の複数のコンポーネントキャリアを集約することも可能である。各コンポーネントキャリアの周波数帯域幅は移動局装置の受信可能周波数帯域幅（例えば２０ＭＨｚ）よりも狭い周波数帯域幅であっても良く、各々周波数帯域幅が異なっていても良い。周波数帯域幅は、後方互換性を考慮して従来のセルの周波数帯域幅のいずれかと等しいことが望ましい。なお、基地局装置が移動局装置に割り当てる（設定する、追加する）上りリンクコンポーネントキャリアの数は、下りリンクコンポーネントキャリアの数と同じか少ないことが望ましい。
【発明の効果】
【００２７】
本発明の実施形態によれば、移動局装置と基地局装置との間の移動速度管理を効率的に行うことによって、消費電力の削減および無線リソースの利用効率を向上させる移動局装置、基地局装置、通信システム、通信方法および集積回路を提供することが出来る。
【図面の簡単な説明】
【００２８】
【図１】本発明の実施形態における移動局装置の概略構成を示すブロック図である。
【図２】本発明の実施形態における基地局装置の概略構成を示すブロック図である。
【図３】本発明の第１の実施形態における移動速度に関する処理の一例を示すシーケンスチャート図である。
【図４】本発明の第１の実施形態における移動速度に関する処理の別の一例を示すシーケンスチャート図である。
【図５】本発明の第２の実施形態におけるハンドオーバー時の移動速度に関する処理の一例を示すシーケンスチャート図である。
【発明を実施するための形態】
【００２９】
本発明の各実施形態を説明する前に、本発明の各実施形態に関わる技術について以下に簡単に説明する。
【００３０】
[物理チャネル／物理シグナル]
ＥＵＴＲＡおよびＡｄｖａｎｃｅｄ  ＥＵＴＲＡで使用される主な物理チャネル、および物理シグナルについて説明を行なう。チャネルとは信号（信号情報）の送信に用いられる媒体を意味し、物理チャネルとは信号（信号情報）の送信に用いられる物理的な媒体を意味する。本発明において、物理チャネルは、信号と同義的に使用され得る。物理チャネルは、ＥＵＴＲＡ、およびＡｄｖａｎｃｅｄ  ＥＵＴＲＡにおいて、今後追加、または、その構造やフォーマット形式が変更または追加される可能性もあるが、変更または追加された場合でも本発明の各実施形態の説明には影響しない。
【００３１】
ＥＵＴＲＡおよびＡｄｖａｎｃｅｄ  ＥＵＴＲＡでは、物理チャネル／物理シグナルのスケジューリングについて無線フレームを用いて管理している。１無線フレームは１０ｍｓであり、１無線フレームは１０サブフレームで構成される。さらに、１サブフレームは２スロットで構成される（すなわち、１サブフレームは１ｍｓ、１スロットは０．５ｍｓである）。また、物理チャネルが配置されるスケジューリングの最小単位としてリソースブロックを用いて管理している。リソースブロックとは、周波数軸を複数サブキャリア（例えば１２サブキャリア）の集合で構成される一定の周波数領域と、一定の送信時間間隔（１スロット）で構成される領域で定義される。
【００３２】
同期シグナル（Synchronization Signals）は、３種類のプライマリ同期シグナルと、周波数領域で互い違いに配置される３１種類の符号から構成されるセカンダリ同期シグナルとで構成され、プライマリ同期シグナルとセカンダリ同期シグナルの信号の組み合わせによって、基地局装置を識別する５０４通りのセル識別子（物理セルＩＤ（Physical Cell Identity; PCI））と、無線同期のためのフレームタイミングが示される。移動局装置は、セルサーチによって受信した同期シグナルのセルＩＤを特定する。
【００３３】
物理報知情報チャネル（PBCH; Physical Broadcast Channel）は、セル内の移動局装置で共通に用いられる制御パラメータ（報知情報（システム情報）；System information）を通知する目的で送信される。物理報知情報チャネルで通知されない報知情報は、物理下りリンク制御チャネルで無線リソースが通知され、物理下りリンク共用チャネルによってレイヤ３メッセージ（システムインフォメーション）で送信される。報知情報として、セル個別の識別子を示すセルグローバル識別子（CGI; Cell Global Identifier）、ページングによる待ち受けエリアを管理するトラッキングエリア識別子（TAI; Tracking Area Identifier）、ランダムアクセス設定情報（送信タイミングタイマーなど）、共通無線リソース設定情報などが通知される。報知情報は、そのセルへアクセスする際のアクセス制限情報や、共通的なチャネル制御設定を通知するためにも用いられる。
【００３４】
下りリンクリファレンスシグナルは、その用途によって複数のタイプに分類される。例えば、セル固有ＲＳ（Cell-specific reference signals）は、セル毎に所定の電力で送信されるパイロットシグナルであり、所定の規則に基づいて周波数領域および時間領域で周期的に繰り返される下りリンクリファレンスシグナルである。移動局装置は、セル固有ＲＳを受信することでセル毎の受信品質を測定する。また、移動局装置は、セル固有ＲＳと同時に送信される物理下りリンク制御チャネル、または物理下りリンク共用チャネルの復調のための参照用の信号としても下りセル固有ＲＳを使用する。セル固有ＲＳに使用される系列は、セル毎に識別可能な系列が用いられる。
【００３５】
また、下りリンクリファレンスシグナルは下りリンクの伝搬路変動の推定にも用いられる。伝搬路変動の推定に用いられる下りリンクリファレンスシグナルのことをチャネル状態情報リファレンスシグナル（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌｓ；ＣＳＩ−ＲＳ）と称する。また、移動局装置毎に個別に設定される下りリンクリファレンスシグナルは、ＵＥ  ｓｐｅｃｉｆｉｃ  Ｒｅｆｅｒｅｎｃｅ  Ｓｉｇｎａｌｓ（ＵＲＳ）またはＤｅｄｉｃａｔｅｄ  ＲＳ（ＤＲＳ）と称され、物理下りリンク制御チャネル、または物理下りリンク共用チャネルを復調するときのチャネル補償処理のために参照される。
【００３６】
物理下りリンク制御チャネル（PDCCH; Physical Downlink Control Channel）は、各サブフレームの先頭からいくつかのＯＦＤＭシンボル（例えば１〜４ＯＦＤＭシンボル）で送信され、移動局装置に対して基地局装置のスケジューリングに従った無線リソース割り当て情報や、送信電力の増減の調整量を指示する目的で使用される。移動局装置は、下りリンクデータや下りリンク制御データであるレイヤ３メッセージ（ページング、ハンドオーバーコマンドなど）を送受信する前に自局装置宛の物理下りリンク制御チャネルを監視（モニタ）し、自局装置宛の物理下りリンク制御チャネルを受信することで、送信時には上りリンクグラント、受信時には下りリンクグラント（下りリンクアサインメント）と呼ばれる無線リソース割り当て情報を物理下りリンク制御チャネルから取得する必要がある。なお、物理下りリンク制御チャネルは、上述したＯＤＦＭシンボルで送信される以外に、基地局装置から移動局装置に対して個別（ｄｅｄｉｃａｔｅｄ）に割り当てられるリソースブロックの領域で送信されるように構成することも可能である。
【００３７】
物理上りリンク制御チャネル（PUCCH; Physical Uplink Control Channel）は、物理下りリンク共用チャネルで送信されたデータの受信確認応答（ＡＣＫ／ＮＡＣＫ；Ａｃｋｎｏｗｌｅｄｇｅｍｅｎｔ／Ｎｅｇａｔｉｖｅ  Ａｃｋｎｏｗｌｅｄｇｅｍｅｎｔ）や下りリンクの伝搬路（チャネル状態）情報（ＣＳＩ；Ｃｈａｎｎｅｌ  Ｓｔａｔｅ  Ｉｎｆｏｒｍａｔｉｏｎ）、上りリンクの無線リソース割り当て要求（無線リソース要求）であるスケジューリングリクエスト（ＳＲ；Ｓｃｈｅｄｕｌｉｎｇ  Ｒｅｑｕｅｓｔ）を行なうために使用される。ＣＳＩは、ＣＱＩ（Ｃｈａｎｎｅｌ  Ｑｕａｌｉｔｙ  Ｉｎｄｉｃａｔｏｒ）、ＰＭＩ（Ｐｒｅｃｏｄｉｎｇ  Ｍａｔｒｉｘ  Ｉｎｄｉｃａｔｏｒ）、ＰＴＩ（Ｐｒｅｃｏｄｉｎｇ  Ｔｙｐｅ  Ｉｎｄｉｃａｔｏｒ）、ＲＩ（Ｒａｎｋ  Ｉｎｄｉｃａｔｏｒ）を含む。各Ｉｎｄｉｃａｔｏｒは、Ｉｎｄｉｃａｔｉｏｎと表記される場合もあるが、その用途と意味は同じである。
【００３８】
物理下りリンク共用チャネル（PDSCH; Physical Downlink Shared Channel）は、下りリンクデータの他、ページングや物理報知情報チャネルで通知されない報知情報（システムインフォメーション）をレイヤ３メッセージとして移動局装置に通知するためにも使用される。物理下りリンク共用チャネルの無線リソース割り当て情報は、物理下りリンク制御チャネルで示される。物理下りリンク共用チャネルは物理下りリンク制御チャネルが送信されるＯＦＤＭシンボル以外のＯＦＤＭシンボルに配置されて送信される。すなわち、物理下りリンク共用チャネルと物理下りリンク制御チャネルは１サブフレーム内で時分割多重されている。
【００３９】
物理上りリンク共用チャネル（PUSCH; Physical Uplink Shared Channel）は、主に上りリンクデータと上りリンク制御データを送信し、下りリンクの受信品質やＡＣＫ／ＮＡＣＫなどの制御データを含めることも可能である。また、上りリンクデータの他、上りリンク制御情報をレイヤ３メッセージとして基地局装置に通知するためにも使用される。また、下りリンクと同様に物理上りリンク共用チャネルの無線リソース割り当て情報は、物理下りリンク制御チャネルで示される。
【００４０】
上りリンクリファレンスシグナル（上りリンク参照信号；Uplink Reference Signal、上りリンクパイロット信号、上りリンクパイロットチャネルとも呼称する）は、基地局装置が、物理上りリンク制御チャネルＰＵＣＣＨおよび／または物理上りリンク共用チャネルＰＵＳＣＨを復調するために使用する復調参照信号（ＤＭＲＳ；Demodulation Reference Signal）と、基地局装置が、主に、上りリンクのチャネル状態を推定するために使用するサウンディング参照信号（ＳＲＳ；Sounding Reference Signal）が含まれる。また、サウンディング参照信号には、周期的サウンディング参照信号（Ｐｅｒｉｏｄｉｃ  ＳＲＳ）と非周期的サウンディング参照信号（Ａｐｅｒｉｏｄｉｃ  ＳＲＳ）とがある。
【００４１】
物理ランダムアクセスチャネル（PRACH; Physical Random Access Channel）は、プリアンブル系列を通知するために使用されるチャネルであり、ガードタイムを有する。プリアンブル系列は、６４種類のシーケンスを用意して６ビットの情報を表現するように構成されている。物理ランダムアクセスチャネルは、移動局装置の基地局装置へのアクセス手段として用いられる。移動局装置は、物理上りリンク制御チャネル未設定時の無線リソース要求や、上りリンク送信タイミングを基地局装置の受信タイミングウィンドウに合わせるために必要な送信タイミング調整情報（タイミングアドバンス（Ｔｉｍｉｎｇ  Ａｄｖａｎｃｅ；ＴＡ）とも呼ばれる）を基地局装置に要求するために物理ランダムアクセスチャネルを用いる。
【００４２】
具体的には、移動局装置は、基地局装置より設定された物理ランダムアクセスチャネル用の無線リソースを用いてプリアンブル系列を送信する。送信タイミング調整情報を受信した移動局装置は、報知情報によって共通的に設定される（またはレイヤ３メッセージで個別に設定される）送信タイミング調整情報の有効時間を計時する送信タイミングタイマー（ＴＡ  ｔｉｍｅｒ）を設定し、送信タイミングタイマーの有効時間中（計時中）は送信タイミング調整状態、有効期間外（停止中）は送信タイミング非調整状態（送信タイミング未調整状態）として上りリンクの状態を管理する。
【００４３】
レイヤ３メッセージは、移動局装置と基地局装置のＲＲＣ（無線リソース制御）層でやり取りされる制御平面（Ｃｏｎｔｒｏｌ−ｐｌａｎｅ）のメッセージであり、ＲＲＣシグナリングまたはＲＲＣメッセージと同義的に使用され得る。なお、それ以外の物理チャネルは、本発明の各実施形態に関わらないため詳細な説明は省略する。
【００４４】
[無線ネットワーク]
基地局装置によって制御される各周波数の通信可能範囲はセルとしてみなされる。このとき、各周波数がカバーするエリア（セル）はそれぞれ異なる広さ、異なる形状であっても良い。また、カバーするエリアが周波数毎に異なっていてもよい。移動局装置は、セルの中で動作し、あるセルから別のセルへ移動するときは、非無線接続時（非通信中、アイドル状態）はセル再選択手順、無線接続時（通信中、コネクティッド状態）はハンドオーバー手順によって別の好適なセルへ移動する。好適なセルとは、一般的に移動局装置のアクセスが禁止されておらず、下りリンクの受信品質の測定結果がある移動局装置にとって最良のセルのことを示す。
【００４５】
なお、キャリア・アグリゲーションは、複数のコンポーネントキャリア（周波数帯域）を用いた複数のセルによる通信であり、セル・アグリゲーションとも称される。なお、移動局装置は、周波数毎にリレー局装置（またはリピーター）を介して基地局装置と無線接続されても良い。すなわち、本発明の各実施形態の基地局装置は、リレー局装置（またはリピーター）に置き換えることが出来る。
【００４６】
３ＧＰＰが規定する基地局装置はノードＢ（NodeB）と称され、ＥＵＴＲＡおよびＡｄｖａｎｃｅｄ  ＥＵＴＲＡにおける基地局装置はイーノードＢ（eNodeB）と称される。なお、３ＧＰＰが規定するＥＵＴＲＡおよびＡｄｖａｎｃｅｄ  ＥＵＴＲＡにおける移動局装置はＵＥ（Ｕｓｅｒ  Ｅｑｕｉｐｍｅｎｔ）と称される。基地局装置は移動局装置が該基地局装置で通信可能なエリアであるセルを周波数毎に管理する。セルは、移動局装置と通信可能なエリアの大きさに応じてマクロセルやフェムトセルやピコセル、ナノセルとも称される。また、移動局装置がある基地局装置と通信可能であるとき、その基地局装置のセルのうち、移動局装置との通信に使用しているセルは在圏セル（Serving cell）であり、その他のセルは周辺セル（Neighboring cell）と称される。
【００４７】
[移動速度管理]
移動局装置は、設定時間内にハンドオーバーまたはセルリセレクション（セル再選択）によって移動したセルの数と閾値を比較し、自局装置の移動速度を判定（推定）する。移動速度を推定することを移動性状態推定（ＭＳＥ：Ｍｏｂｉｌｉｔｙ  Ｓｔａｔｅ  Ｅｓｔｉｍａｔｉｏｎ）とも称する。また、推定された移動速度に基づいて決まる移動局装置の状態のことをモビリティ状態と称する。
【００４８】
移動性状態推定に用いられる設定時間と閾値は、基地局装置から移動局装置に通知される。ＥＵＴＲＡにおいては、設定時間（設定時間１、設定時間２）と閾値（閾値１、閾値２）はそれぞれ２つ設定される。移動局装置は、例えばある設定時間１内に移動したセルの数が閾値１よりも少なければ速度１であると判定し、閾値１以上で閾値２未満であれば速度２と判定し、閾値２以上であれば速度３と判定する。閾値を多くすることで、移動局装置は更に細かい移動速度を判定することも可能である。
【００４９】
また、ある設定時間２以内に移動局装置が推定した移動速度が、速度２にも速度３にも判定されなければ、移動局装置は、自局装置の移動速度が速度１であると判定する。なお、速度１が最も遅い状態を示し、速度３は最も早い状態を示す。速度２はその中間の速度の状態を示す。すなわち、モビリティ状態として、速度１は通常モビリティ状態（Ｎｏｒｍａｌ  Ｍｏｂｉｌｉｔｙ  Ｓｔａｔｅ）、速度２は中間モビリティ状態（Ｍｅｄｉｕｍ  Ｍｏｂｉｌｉｔｙ  Ｓｔａｔｅ）、速度３は高速モビリティ状態（Ｈｉｇｈ  Ｍｏｂｉｌｉｔｙ  Ｓｔａｔｅ）とそれぞれ判定される。
【００５０】
移動局装置は、移動性状態推定による推定結果（すなわち、モビリティ状態）に基づく制御を行う。例えば、移動局装置は、ハンドオーバーに用いられるイベント条件またはセルリセレクション条件（リセレクション基準）を評価する際に、上記の各条件の成立までに必要となる必要時間のパラメータ値をモビリティ状態に基づいてスケーリングする。すなわち、移動局装置は、通常モビリティ状態での必要時間よりも、中間モビリティ状態の必要時間が短くなるようにスケーリングして各条件を評価する。同様に、移動局装置は、中間モビリティ状態での必要時間よりも、高速モビリティ状態の必要時間が短くなるようにスケーリングする。スケーリングに用いるスケーリング係数は、それぞれ基地局装置から報知情報または個別のＲＲＣシグナリングで設定される。スケーリングの対象となる必要時間をタイムトゥートリガー（ＴＴＴ：Ｔｉｍｅ  Ｔｏ  Ｔｒｉｇｇｅｒ）とも称する。
【００５１】
以上の事項を考慮しつつ、以下、添付図面を参照しながら本発明の好適な実施形態について詳細に説明する。なお、本発明の実施形態の説明において、本発明の実施形態に関連した公知の機能や構成についての具体的な説明が、本発明の実施形態の要旨を不明瞭にすると判断される場合には、その詳細な説明を省略する。
【００５２】
＜第１の実施形態＞
本発明の第１の実施形態について以下に説明する。本実施形態は、移動局装置１の無線リソース要求方法に関し、特に、移動局装置１が通信中のときの無線リソース要求の方法を判断し、該状態の判断に基づく無線リソース要求方法について示す。
【００５３】
図１は、本発明の第１の実施形態による移動局装置１の一例を示すブロック図である。本移動局装置１は、受信部１０１、復調部１０２、復号部１０３、測定処理部１０４、制御部１０５、上りリンクバッファ制御部１０６、符号部１０７、変調部１０８、送信部１０９、上りリンク無線リソース要求制御部１１０、ランダムアクセス制御部１１１、上位レイヤ１１２から構成される。上位レイヤ１１２は、無線リソース制御を執り行うＲＲＣ（Ｒａｄｉｏ  Ｒｅｓｏｕｒｃｅ  Ｃｏｎｔｒｏｌ）層の特定の機能を実現するブロックである。また、上りリンクバッファ制御部１０６、上りリンク無線リソース要求制御部１１０、ランダムアクセス制御部１１１は、データリンク層を管理するＭＡＣ（Ｍｅｄｉｕｍ  Ａｃｃｅｓｓ  Ｃｏｎｔｒｏｌ）層の特定の機能を実現するブロックである。
【００５４】
なお、移動局装置１は、キャリア・アグリゲーションによって複数の周波数（周波数帯、周波数帯域幅）の同時受信をサポートするために受信系のブロック（受信部１０１、復調部１０２、復号部１０３）、および複数の周波数（周波数帯、周波数帯域幅）の同時送信をサポートするために送信系のブロック（符号部１０７、変調部１０８、送信部１０９）を複数備えてもよい。
【００５５】
受信に関し、上位レイヤ１１２より制御部１０５へ移動局装置制御情報が入力される。移動局装置制御情報は、受信制御情報と送信制御情報によって構成される移動局装置１の無線通信制御に必要な情報であり、基地局装置２から個別に送信される無線接続リソース設定、セル固有の報知情報、またはシステムパラメータにより設定され、上位レイヤ１１２が必要に応じて制御部１０５へ入力する。制御部１０５は、受信に関する制御情報である受信制御情報を、受信部１０１、復調部１０２、復号部１０３へ適切に入力する。
【００５６】
受信制御情報は、受信周波数帯域の情報の他に、ＤＲＸ制御情報、各チャネルに関する受信タイミング、多重方法、無線リソース配置情報などの情報が含まれている。また、制御部１０５は、移動局装置１の測定結果が、指定された測定イベントを満たしたかどうかの測定イベント判定に用いる測定設定情報を測定処理部１０４に入力する。測定設定情報は、異なる複数の種別の測定イベントを含めることができる。測定設定情報は、セル毎、または周波数毎に異なる測定イベントが基地局装置２から設定されてもよい。
【００５７】
受信信号は、受信部１０１において受信される。受信部１０１は、受信制御情報で指定された周波数帯域で信号を受信する。また、受信部１０１は、受信制御情報として後述するＰＤＣＣＨ監視タイマー設定が適用される場合は、ＰＤＣＣＨの監視をＰＤＣＣＨ監視タイマーに従って行う。受信された信号は、復調部１０２へと入力される。復調部１０２は、受信信号の復調を行い、復号部１０３へと信号を入力して下りリンクデータと下りリンク制御データとを正しく復号し、復号された各データを上位レイヤ１１２へと入力する。各データは測定処理部１０４にも入力される。
【００５８】
測定処理部１０４は、セル（コンポーネントキャリア）毎の下りリンクリファレンスシグナルの受信品質（ＳＩＲ、ＳＩＮＲ、ＲＳＲＰ、ＲＳＲＱ、ＲＳＳＩ、パスロスなど）の測定値や、物理下りリンク制御チャネルまたは物理下りリンク共用チャネルの受信誤り率の測定結果に基づいて測定結果情報を生成する。測定処理部１０４は、測定結果を設定された測定イベントの成否を判定するパラメータの一つとしても用いる。
【００５９】
また、測定処理部１０４は、測定結果を測定結果情報として上位レイヤ１１２へ入力する。また、測定処理部１０４は、設定された測定イベントが一つまたは複数成立したとき（すなわち、設定された測定イベント条件を満たした場合）、成立した測定イベントの内容を表す測定イベント結果を測定結果情報として上位レイヤ１１２に通知する。また、測定処理部１０４は、一度成立した測定イベントが成立しなくなったとき（すなわち、設定された測定イベント条件を満たさなくなった場合）、非成立となった測定イベントの内容を表す測定イベント結果を測定結果情報として上位レイヤ１１２に通知してもよい。
【００６０】
また、送信に関し、上位レイヤ１１２より制御部１０５へ各ブロックを制御するための制御パラメータである移動局装置制御情報が入力され、送信に関する制御情報である送信制御情報が、上りリンクバッファ制御部１０６、符号部１０７、変調部１０８、送信部１０９へ適切に入力される。送信制御情報は、送信信号の上りリンクスケジューリング情報として、ＤＴＸ制御情報、符号化情報、変調情報、送信周波数帯域の情報、各チャネルに関する送信タイミング、多重方法、無線リソース配置情報などの情報が含まれている。
【００６１】
上位レイヤ１１２からランダムアクセス制御部１１１にランダムアクセス設定情報が入力される。ランダムアクセス設定情報には、プリアンブル情報や物理ランダムアクセスチャネル送信用の無線リソース情報（電力調整パラメータや、最大プリアンブル再送回数など）などが含まれる。また、上位レイヤ１１２は、上りリンク送信タイミングの調整に用いる送信タイミング調整情報と送信タイミングタイマーを管理し、セル毎（またはセルグループ毎、ＴＡグループ毎）に上りリンク送信タイミングの状態（送信タイミング調整状態または送信タイミング非調整状態）を管理する。送信タイミング調整情報と送信タイミングタイマーは、送信制御情報に含まれる。
【００６２】
なお、複数の上りリンク送信タイミングの状態を管理する必要がある場合、上位レイヤ１１２は、複数のそれぞれのセル（またはセルグループ、ＴＡグループ）の上りリンク送信タイミングに対応する送信タイミング調整情報を管理する。
【００６３】
生起した送信データ（上りリンクデータと上りリンク制御データ）は、上位レイヤ１１２より任意のタイミングで上りリンクバッファ制御部１０６に入力される。このとき、上りリンクバッファ制御部１０６は、入力された送信データの量（上りリンクバッファ量）を計算する。上りリンク無線リソース要求制御部１１０には、上位レイヤ１１２よりリソース要求設定情報が設定される。リソース要求設定情報には、少なくとも送信カウンタ設定情報と無線リソース要求禁止タイマー情報とが含まれている。また、上りリンクバッファ制御部１０６は、上りリンクバッファ制御部１０６に送信データが入力されたときに、送信データの発生を上りリンク無線リソース要求制御部１１０へ通知することによって、上りリンクバッファに送信データが存在することを知らせる。
【００６４】
上りリンク無線リソース要求制御部１１０は、入力された送信データの送信に必要な無線リソースが割り当てられているかを判断する。上りリンク無線リソース要求制御部１１０は、無線リソース割り当てに基づいて、物理上りリンク共用チャネルＰＵＳＣＨ、物理上りリンク制御チャネルによる無線リソース要求（ＳＲ−ＰＵＣＣＨ）、または物理ランダムアクセスチャネルのいずれか一つを選択し、選択したチャネルを送信するための制御処理を符号部１０７および／またはランダムアクセス制御部１１１に対して要求する。
【００６５】
すなわち、すでに無線リソースが割り当てられており、送信データを物理上りリンク共用チャネルＰＵＳＣＨで送信可能な状態であるとき、符号部１０７は、上りリンク無線リソース要求制御部１１０の指示に従って割り当て済みの無線リソースに対応する送信データを上りリンクバッファ制御部１０６から取得して符号化し、変調部１０８に出力する。または、無線リソースが割り当てられていないときで、物理上りリンク制御チャネルによる無線リソース要求（ＳＲ−ＰＵＣＣＨ）が可能であるとき、符号部１０７は、上りリンク無線リソース要求制御部１１０の指示に従ってＳＲ−ＰＵＣＣＨの送信に必要な制御データを符号化し、変調部１０８に出力する。
【００６６】
または、無線リソースが割り当てられていないときで、物理上りリンク制御チャネルによる無線リソース要求（ＳＲ−ＰＵＣＣＨ）が不可能であるとき、符号部１０７は、ランダムアクセス制御部１１１に対してランダムアクセス手順の開始を指示する。このとき、符号部１０７は、ランダムアクセス制御部１１１から入力されるランダムアクセスデータ情報に基づき物理ランダムアクセスチャネルで送信されるプリアンブル系列を生成する。また、符号部１０７は送信制御情報に従い、各データを適切に符号化し、変調部１０８に出力する。
【００６７】
変調部１０８は、符号部１０７からの出力を送信するチャネル構造に基づいて適切に変調処理を行う。送信部１０９は、変調部１０８の出力を周波数領域にマッピングすると共に、周波数領域の信号を時間領域の信号へ変換し、既定の周波数の搬送波にのせて電力増幅を行う。送信部１０９は、また、上位レイヤ１１２より入力されたセル毎（またセルグループ毎、ＴＡグループ毎）の送信タイミング調整情報に従って上りリンク送信タイミングを調整する。上りリンク制御データが配置される物理上りリンク共用チャネルは、ユーザデータの他に、例えばレイヤ３メッセージ（無線リソース制御メッセージ；ＲＲＣメッセージ）を含めることも可能である。
【００６８】
図１において、その他の移動局装置１の構成要素は本実施形態に特に強い関連性がないため省略してあるが、移動局装置１として動作するために必要なその他の機能を有する複数のブロックを構成要素として持つことは明らかである。また、移動局装置１は、上述した複数のブロックの機能を1つのブロックで実現する構成であってもよい。また、移動局装置１は、上述した一つのブロックの機能を複数のブロックで実現する構成であってもよい。
【００６９】
図２は、本発明の第１の実施形態による基地局装置２の一例を示すブロック図である。本基地局装置は、受信部２０１、復調部２０２、復号部２０３、制御部２０４、符号部２０５、変調部２０６、送信部２０７、上位レイヤ２０８、ネットワーク信号送受信部２０９から構成される。なお、基地局装置２は、複数の周波数（周波数帯、周波数帯域幅）をサポートするために受信系のブロック（受信部２０１、復調部２０２、復号部２０３）、および送信系のブロック（符号部２０５、変調部２０６、送信部２０７）を複数備えてもよい。
【００７０】
上位レイヤ２０８は、下りリンクデータと下りリンク制御データを符号部２０５へ入力する。符号部２０５は、入力されたデータを符号化し、変調部２０６へ入力する。変調部２０６は、符号化した信号の変調を行なう。また、変調部２０６から出力される信号は送信部２０７に入力される。送信部２０７は、入力された信号を周波数領域にマッピングした後、周波数領域の信号を時間領域の信号へ変換し、既定の周波数の搬送波にのせて電力増幅を行い送信する。下りリンク制御データが配置される物理下りリンク共用チャネルは、典型的にはレイヤ３メッセージ（ＲＲＣメッセージ）を構成する。
【００７１】
また、受信部２０１は、移動局装置１から受信した信号をベースバンドのデジタル信号に変換する。移動局装置１に対して異なる複数の送信タイミングのセルを設定している場合、受信部２０１はセル毎（またセルグループ毎、ＴＡグループ毎）に異なるタイミングで信号を受信する。受信部２０１で変換されたデジタル信号は、復調部２０２へ入力されて復調される。復調部２０２で復調された信号は続いて復号部２０３へ入力されて復号され、正しく復号された上りリンク制御データや上りリンクデータを上位レイヤ２０８へと出力する。
【００７２】
これら各ブロックの制御に必要な基地局装置制御情報は、受信制御情報と送信制御情報によって構成される基地局装置２の無線通信制御に必要な情報であり、上位のネットワーク装置（ＭＭＥやゲートウェイ装置、ＯＡＭ）やシステムパラメータにより設定され、上位レイヤ２０８が必要に応じて制御部２０４へ入力する。
【００７３】
制御部２０４は、送信に関連する基地局装置制御情報を、送信制御情報として符号部２０５、変調部２０６、送信部２０７の各ブロックに、受信に関連する基地局装置制御情報を、受信制御情報として受信部２０１、復調部２０２、復号部２０３の各ブロックに適切に入力する。基地局装置２のＲＲＣは、上位レイヤ２０８の一部として存在する。
【００７４】
一方、ネットワーク信号送受信部２０９は、基地局装置２間あるいは上位のネットワーク装置と基地局装置２との間の制御メッセージ、またはユーザデータの送信（転送）または受信を行なう。図２において、その他の基地局装置２の構成要素は本実施形態に特に強い関連性がないため省略してあるが、基地局装置２として動作するために必要なその他の機能を有する複数のブロックを構成要素として持つことは明らかである。また、基地局装置２は、上述した複数のブロックの機能を1つのブロックで実現する構成であってもよい。また、基地局装置２は、上述した一つのブロックの機能を複数のブロックで実現する構成であってもよい。
【００７５】
図３は、本実施形態における移動局装置１と基地局装置２との間における、送受信制御に関連する情報のやり取りについて示した図である。
【００７６】
移動局装置１と基地局装置２とは、無線接続されている状態（ＲＲＣ接続状態、ＲＲＣ＿Ｃｏｎｎｅｃｔｅｄ）から開始される。すなわち、移動局装置１は、基地局装置２から測定制御に関する制御情報（測定設定：Ｍｅａｓｕｒｅｍｅｎｔ  Ｃｏｎｆｉｇｕｒａｔｉｏｎ）を受信し、在圏セルおよび周辺セルの測定を行っている。
【００７７】
また、移動局装置１は、移動速度を判定（推定）するためのモビリティ状態の推定に関する情報（ＭＳＥ情報）を基地局装置２から設定されている。移動局装置１は、ＭＳＥ情報を基地局装置２から報知情報または個別のＲＲＣメッセージを用いて受信して設定し、移動速度の推定を行っている。なお、以下の記述において、移動局装置１が移動速度の推定（速度推定）を行うこと、と、移動局装置１が移動性状態推定の判定を行うこと、とを同義の意味で用いる。また、以下の記述において、移動局装置１が移動速度の推定（速度推定）を停止すること、と、移動局装置１が移動性状態推定の判定を停止すること、とを同義の意味で用いる。
【００７８】
まず、基地局装置２は、移動局装置１に対して速度推定停止（速度推定停止メッセージ）を送信する（ステップＳ１０１）。速度推定停止（速度推定停止メッセージ）は、レイヤ３メッセージ（ＲＲＣメッセージ）またはレイヤ２メッセージを用いて送信されることが望ましいが、レイヤ１メッセージで送信されてもよい。レイヤ２メッセージとは、レイヤ２の構成タスクで解釈されるメッセージであり、物理層（レイヤ１）でデコードされた後にレイヤ２で認識される制御コマンドである。なお、ＥＵＴＲＡならびにＡｄｖａｎｃｅｄ  ＥＵＴＲＡにおけるレイヤ２メッセージは、ＭＡＣ層で解釈される制御コマンド（ＭＡＣ制御要素：ＭＡＣ  Ｃｏｎｔｒｏｌ  Ｅｌｅｍｅｎｔ、ＭＡＣ制御メッセージ）によって通知されてもよい。
【００７９】
速度推定停止を受信した移動局装置１は、実行中の移動速度の判定処理を停止する（ステップＳ１０２）。移動局装置１は、移動局装置１に設定される移動速度の推定に用いられる設定時間（移動速度推定タイマー）の計時の停止、またはリセットしてもよい。また、速度推定停止を通知された移動局装置１は、移動局装置１がハンドオーバーまたはセルリセレクションによって別のセルに移動したときであっても、移動したセルの回数をカウントしない。また、移動局装置１は、現在までに移動したセルの回数をリセットしてもよい。また、速度推定停止を通知された移動局装置１は、現在の移動速度（移動性状態推定）をリセットしてもよい。また、速度推定停止を通知された移動局装置１は、現在保持している移動したセルの回数をリセットしてもよい。
【００８０】
基地局装置２は、移動局装置１に対して速度推定停止を通知すると同時に、停止後に移動局装置１で使用される移動速度を送信してもよい。
【００８１】
また、速度推定停止を受信した移動局装置１は、その時点で移動局装置１が保持している推定した移動速度に関する状態（モビリティ状態）の情報を基地局装置２へ報告してもよい（ステップＳ１０３）。この報告により、基地局装置２は、移動局装置１が推定した移動速度に関する制御を実施することが可能となる。速度推定報告（速度推定報告メッセージ）は、レイヤ３メッセージ（ＲＲＣメッセージ）またはレイヤ２メッセージを用いて送信されることが望ましいが、レイヤ１メッセージで送信されてもよい。
【００８２】
基地局装置２は、速度推定を停止している移動局装置１に対して速度推定開始（速度推定開始メッセージ）を送信する（ステップＳ１０４）。速度推定開始を受信した移動局装置１は、停止中の移動速度の判定処理を開始（再開）する（ステップＳ１０５）。すなわち、移動局装置１は、ステップＳ１０１で停止した機能を全て復旧させ、従来の移動速度の推定に関する処理を行う。速度推定開始（速度推定開始メッセージ）は、レイヤ３メッセージ（ＲＲＣメッセージ）またはレイヤ２メッセージを用いて送信されることが望ましいが、レイヤ１メッセージで送信されてもよい。
【００８３】
基地局装置２は、移動局装置１に対して速度推定開始を通知すると同時に、開始後に使用される移動速度に関する状態（モビリティ状態）の情報を測定推定開始メッセージによって明示してもよい。
【００８４】
なお、速度推定開始と速度推定停止とを同一のメッセージ構成とし、お互いの処理をトグルさせるように構成されていてもよい。
【００８５】
図３は、無線接続されている状態の移動局装置１に対する説明を中心に行ったが、移動局装置１が無線接続されていない状態（ＲＲＣアイドル状態、ＲＲＣ＿Ｉｄｌｅ状態）においても適用されてもよい。このとき、基地局装置２は、報知情報の一部の情報を用いて移動局装置１に対して速度推定停止を通知してもよい。
【００８６】
このように構成することによって、移動局装置１がセル半径の異なるセルが複数配置されているような環境下において移動速度を推定することによって、推定した移動速度の信頼度が低くなるという問題を解決することが可能となる。しかしながら、移動速度に関する状態（モビリティ状態）の情報自体は消費電力や無線リソース量の削減のために有用な情報である。そこで、移動局装置１が行っていた移動速度の推定に関する処理を停止する代わりに、基地局装置２で移動局装置１の移動速度の推定に関する処理を実施可能な方法を示す。
【００８７】
図４は、移動局装置１が行っていた移動速度の推定に関する処理を停止する代わりに、基地局装置２で移動局装置１の移動速度の推定を行う方法について説明するためのシーケンスチャート図である。
【００８８】
図４において、移動局装置１は、ステップＳ２０１で、それまで移動局装置１が保持していた移動速度の推定に必要な情報（速度推定情報）のすべてまたは一部を基地局装置２に対して送信する。速度推定情報（速度推定情報メッセージ）は、レイヤ３メッセージ（ＲＲＣメッセージ）またはレイヤ２メッセージを用いて送信されることが望ましい。
【００８９】
移動局装置１は、基地局装置２からの要求を受信したとき、移動速度の推定が停止されたとき、または、移動局装置１が接続状態へ移行したときに、速度推定情報を基地局装置２へ送信する。
【００９０】
速度推定情報は、セルＩＤ情報とそのセルに移動局装置１が移動した時間情報（タイムスタンプ）でもよい。または、速度推定情報は、物理セルＩＤ情報とそのセルに移動局装置１が滞在していた時間情報でもよい。または、速度推定情報は、一つまたは複数のある設定時間内に移動局装置１が移動したセルの数でもよい。または、速度推定情報は、一つまたは複数のある設定時間内に移動局装置１が移動したセルの物理セルＩＤ情報でもよい。または、速度推定情報は、一つまたは複数のある設定時間内に移動局装置１が移動したセル半径の小さいセルの数でもよい。または、速度推定情報は、一つまたは複数のある設定時間内に移動局装置１が移動したセル半径の小さいセルの物理セルＩＤ情報でもよい。
【００９１】
なお、移動局装置１は、上述したいずれかの速度推定情報に加えて、推定した現在の移動速度に関する状態（モビリティ状態）を提供してもよい。セル半径の小さいセルとは、基地局装置２によって設定された物理セルＩＤ情報で示されるセルであり、例えばピコセルである。なお、物理セルＩＤ情報は、複数の物理セルＩＤを含む物理セルＩＤの範囲を示す情報でもよい。物理セルＩＤ情報は、セルグローバル識別子であってもよい。また、移動局装置１は、上述したいずれかの速度推定情報に加えて、移動したセルのセルサイズに関する情報、または、移動したセルの送信電力に関する情報を提供してもよい。
【００９２】
基地局装置２は、提供された速度推定情報に基づいて、移動局装置１の速度推定（基地局装置側移動速度推定）に関する処理を開始する（ステップＳ２０２）。基地局装置２で行われる移動局装置１に関する移動速度の推定処理の方法は、基地局装置２の実装依存でよい。基地局装置２は、基地局装置２で推定した移動局装置１の移動速度に関する情報に基づいて、消費電力の削減および無線リソースの利用効率を向上可能な、効率的なスケジューリングを行うことができる。
【００９３】
基地局装置２は、ステップＳ２０２で得られた移動局装置１の移動速度の推定結果を、速度推定指示（速度推定指示メッセージ）で移動局装置１へ送信する（ステップＳ２０３）。速度推定指示は、レイヤ３メッセージ（ＲＲＣメッセージ）またはレイヤ２メッセージを用いて送信されることが望ましい。速度推定指示で通知される移動速度の推定結果は、移動性状態推定による推定結果（モビリティ状態）と同じで良い。すなわち、通常モビリティ状態、中間モビリティ状態、高速モビリティ状態のいずれかが通知される。移動局装置１は、通知された移動速度の推定結果を、現在の自局装置の移動速度と判断し、移動速度を更新してよい（ステップＳ２０４）。移動局装置１は、通知された移動速度の推定結果に基づいて、ハンドオーバーに用いられるイベント条件またはセルリセレクション条件の成立までに必要となる必要時間のスケーリングを行ってもよい。
【００９４】
また、基地局装置２は、移動速度の推定結果の他に、通知した移動速度の推定結果の有効時間を通知してもよい。移動局装置１は、有効時間が設定された場合、有効時間に等しいタイマーの計時を開始し、該タイマーが満了したときに、通知された移動速度の推定結果をリリースする。リリース後の移動局装置１の移動速度（モビリティ状態）は、当該セルのデフォルトの状態、または通常モビリティ状態にしてもよい。
【００９５】
なお、移動局装置１が接続状態から非接続状態へ移行したとき、移動速度の推定の処理は選択したセルの報知情報に基づいて再開するか停止を継続するか判断してもよい。このとき、選択したセルの報知情報で再開または停止に関する情報が設定されていないときは、移動速度の推定の処理を自動的に再開してもよい。または、移動局装置１が接続状態から非接続状態へ移行したとき、移動速度の推定の処理を自動的に再開してもよい。
【００９６】
図３と図４における各制御メッセージは、専用のメッセージを新規に用意する以外に、既存のＲＲＣメッセージを拡張して再利用しても良い。例えば、速度推定停止、速度推定開始、速度推定指示の各メッセージ（シグナリングでもよい）は、ＲＲＣ無線接続再設定メッセージ（ＲＲＣ  Ｃｏｎｎｅｃｔｉｏｎ  Ｒｅｃｏｎｆｉｇｕｒａｔｉｏｎメッセージ）、速度推定報告、速度推定情報は、測定報告メッセージ（Ｍｅａｓｕｒｅｍｅｎｔ  ｒｅｐｏｒｔメッセージ）にそれぞれ必要なパラメータを追加して再利用してもよい。
【００９７】
本実施形態の移動局装置１は、移動局装置１の判定した移動速度の推定結果の信頼度が低いと予想されるエリアにおいて、基地局装置２から指示に従って移動速度の推定を停止することができる。また、移動局装置１の判定した移動速度の推定結果の信頼度が高いと予想されるエリアにおいて、基地局装置２から指示に従って移動速度の推定を開始することができる。また、移動局装置１は、基地局装置２から移動速度の推定結果の停止が指示された場合に、自局装置の現在の移動速度の推定結果を基地局装置２へ通知することができる。また、基地局装置２において移動局装置１の移動速度の推定ができるように、現在保持している移動速度の推定に関する情報を基地局装置２へ提供することができる。
【００９８】
また、本実施形態の基地局装置２は、移動局装置１の判定した移動速度の推定結果の信頼度が低いと予想されるエリアにおいて、移動局装置１で行う移動速度の推定を停止することができる。また、移動局装置１の判定した移動速度の推定結果の信頼度が高いと予想されるエリアにおいて、移動局装置１で行う移動速度の推定を開始することができる。すなわち、移動局装置１の移動速度の推定の実施のＯＮ／ＯＦＦを明示的に切り替えることができる。
【００９９】
また、基地局装置２は、移動局装置１が現在保持している移動速度の推定に関する情報を提供してもらうことにより、移動局装置１の移動速度の推定を移動局装置１に代わって行うことができる。また、基地局装置２は、推定した移動局装置１の移動速度の推定結果を移動局装置１に対して指示し、移動局装置１の移動速度（モビリティ状態）を更新することができる。
【０１００】
このように、第１の実施形態によれば、移動局装置１は、基地局装置２から移動速度管理のための移動速度の推定に関する処理の開始または停止が指示されるため、間違ったモビリティ状態を判定することがなくなる。また、基地局装置２は、移動局装置１から移動速度の推定に関する情報を提供してもらうことによって、より正確な移動速度の推定が可能となる。その結果、本通信システムの移動局装置１および基地局装置２は、移動速度の管理を効率的に行いつつ、消費電力の削減および無線リソースの利用効率を向上させることができる。
【０１０１】
＜第２の実施形態＞
本発明の第２の実施形態について以下に説明する。第２の実施形態では、移動局装置がセルを移動する際の効率的な移動速度管理の方法について開示する。本実施形態に用いる移動局装置１と基地局装置２の構成は、それぞれ図１と図２と同じ構成で良いため説明を省略する。
【０１０２】
ハンドオーバーにおける一つ目の移動速度管理の方法は、移動局装置１がセルを移動する際に、移動元のセル（ソースセル）の基地局装置２が移動先のセル（ターゲットセル）の基地局装置２に現在の移動速度の推定結果を通知する方法である。より具体的には、移動局装置１がセルを移動する際に基地局装置２間でやり取りされる基地局装置メッセージ（Ｘ２メッセージ）で移動局装置１の移動速度に関する情報がソースセルの基地局装置２からターゲットセルの基地局装置２へと通知される。
【０１０３】
ターゲットセルの基地局装置２は、通知された移動局装置１の移動速度に関する情報に基づいて、消費電力の削減および無線リソースの利用効率を向上可能な、効率的なスケジューリングを行うことができる。
【０１０４】
移動速度に関する情報は、例えば、速度推定報告メッセージで提供されるモビリティ状態や、速度推定情報メッセージで提供される移動速度の推定に必要な情報や、基地局装置２で管理されている移動速度の計算に必要な情報である。
【０１０５】
また、一つ目の方法において、移動局装置１は、移動速度の推定の停止が基地局装置２から指示されている場合であって、ハンドオーバーに関するメッセージにおいて移動速度の推定の停止が再度指示（設定）されていない場合、移動速度の推定の停止を解除し、移動局装置１が移動速度の推定を行う従来の処理に復帰してもよい。ハンドオーバーに関するメッセージとは、ＲＲＣ接続再設定メッセージである。
【０１０６】
または、一つ目の方法において、移動局装置１は、移動速度の推定の停止が基地局装置２から指示されている場合であって、ハンドオーバーに関するメッセージにおいて移動速度の推定の停止が指示（設定）されていない場合、移動速度の推定の停止を継続してもよい。
【０１０７】
図５は、移動局装置１がハンドオーバーによって基地局装置２を変更した際における移動速度管理について示したシーケンスチャート図である。
【０１０８】
移動局装置１は、基地局装置２から指示された際に、ハンドオーバー手順を実施する（ステップＳ３０１）。基地局装置２は、ハンドオーバー手順が正常に完了した場合に、ハンドオーバー手順において提供された移動局装置１の移動速度を推定し、必要であればその推定結果の情報を更新する（ステップＳ３０２）。そして、更新した移動速度の推定結果が、ハンドオーバーした移動局装置１に指示している移動速度と異なる場合、速度推定指示（速度推定指示メッセージ）を送信し、移動局装置１の移動速度（モビリティ状態）を更新する。
【０１０９】
ハンドオーバーにおける二つ目の移動速度管理の方法は、移動局装置１がセルを移動した後で、移動局装置１が移動先のセル（ターゲットセル）において移動速度に関する情報を通知することである。移動速度に関する情報は、例えば、速度推定報告メッセージで提供されるモビリティ状態や、速度推定情報メッセージで提供される移動速度の推定に必要な情報である。
【０１１０】
移動局装置１は、ハンドオーバーに関するメッセージのいずれかで移動局装置１の移動速度に関する情報の提供が指示された場合に、ターゲットセルにおいて移動速度に関する情報を通知する。例えば、ＲＲＣ接続再設定メッセージで移動局装置１の移動速度に関する情報の提供が指示されてもよい。
【０１１１】
または、ターゲットセルの報知情報で移動局装置１の移動速度に関する情報の提供が指示された場合に、ターゲットセルにおいて移動速度に関する情報を通知する。例えば、基地局装置２は、報知情報でハンドオーバー後の移動速度に関する情報の提供が必要であることを特定の情報を設定することによって明示的に示してもよいし、当該セルで移動速度の推定が停止されることを示す情報が設定されている場合に、ハンドオーバー後の移動速度に関する情報の提供が必要であることを暗黙的に示してもよい。
【０１１２】
本実施形態の移動局装置１は、移動局装置１の判定した移動速度の推定結果の信頼度が低いと予想されるエリアにハンドオーバーした場合において、ハンドオーバー後に基地局装置２から指示に従って移動速度の推定を停止することができる。また、移動局装置１の判定した移動速度の推定結果の信頼度が高いと予想されるエリアにハンドオーバーした場合において、ハンドオーバー後に基地局装置２から指示に従って移動速度の推定を開始することができる。また、移動局装置１は、ハンドオーバー後に自局装置の現在の移動速度の推定結果を基地局装置２へ通知することができる。また、基地局装置２において移動局装置１の移動速度の推定ができるように、ハンドオーバー後に現在保持している移動速度の推定に関する情報を基地局装置２へ提供することができる。
【０１１３】
また、本実施形態の基地局装置２は、移動局装置１の判定した移動速度の推定結果の信頼度が低いと予想されるエリアにハンドオーバーさせる場合おいて、ハンドオーバー後に移動局装置１で行う移動速度の推定を停止することができる。また、移動局装置１の判定した移動速度の推定結果の信頼度が高いと予想されるエリアにハンドオーバーさせる場合において、ハンドオーバー後に移動局装置１で行う移動速度の推定を開始することができる。すなわち、ハンドオーバー後に移動局装置１の移動速度の推定の実施のＯＮ／ＯＦＦを明示的に切り替えることができる。
【０１１４】
また、基地局装置２は、ハンドオーバー後に移動局装置１が現在保持している移動速度の推定に関する情報を提供してもらうことにより、移動局装置１の移動速度の推定を移動局装置１に代わって行うことができる。また、基地局装置２は、推定した移動局装置１の移動速度の推定結果を移動局装置１に対して指示し、移動局装置１の移動速度（モビリティ状態）をハンドオーバー後に更新することができる。
【０１１５】
このように、第２の実施形態によれば、移動局装置１は、ハンドオーバー後に基地局装置２から移動速度管理のための移動速度の推定に関する処理の開始または停止が指示されるため、間違ったモビリティ状態を判定することがなくなる。また、基地局装置２は、ハンドオーバー後に移動局装置１から移動速度の推定に関する情報を提供してもらうことによって、より正確な移動速度の推定が可能となる。その結果、本通信システムの移動局装置１および基地局装置２は、移動速度の管理を効率的に行いつつ、消費電力の削減および無線リソースの利用効率を向上させることができる。
【０１１６】
（Ａ）また、本発明は以下の形態をとることも可能である。すなわち、本発明の実施形態における移動局装置は、移動局装置と基地局装置から構成される通信システムにおける移動局装置であって、移動局装置の移動速度に関する状態を推定し、移動速度に関する状態の情報を基地局装置に送信し、基地局装置からの通知に基づいて移動速度に関する状態の推定を開始または停止する。
【０１１７】
（Ｂ）また、移動局装置は、移動速度に関する状態の推定が停止されたときに、移動速度に関する状態の情報を基地局装置に送信する。
【０１１８】
（Ｃ）また、移動局装置の基地局装置に送信する移動速度に関する状態の情報は、移動局装置が推定した移動速度の状態を示す。
【０１１９】
（Ｄ）また、移動局装置の移動速度の状態は、通常モビリティ状態、中間モビリティ状態、高速モビリティ状態に分類される。
【０１２０】
（Ｅ）また、移動局装置の基地局装置に送信する移動速度に関する状態の情報は、移動局装置が移動したセル情報および時間情報である。
【０１２１】
（Ｆ）また、移動局装置は、基地局装置の通知に基づいて移動速度に関する状態の推定を停止した場合、保持している移動速度の推定に用いる情報をリセットする。
【０１２２】
（Ｇ）また、移動局装置は、移動速度に関する状態の情報を基地局装置に送信し、基地局装置から通知された移動局装置の移動速度に関する状態を更新し、更新した移動局装置の移動速度に関する状態に基づいてイベント条件を評価する。
【０１２３】
（Ｈ）また、本発明の実施形態における基地局装置は、移動局装置と基地局装置から構成される通信システムにおける基地局装置であって、移動局装置に対し、移動局装置の移動速度に関する状態の情報の送信を指示し、移動速度に関する状態の推定を開始または停止を通知する。
【０１２４】
（Ｉ）また、基地局装置は、移動局装置の移動速度に関する状態の推定の停止を指示することによって、移動速度に関する状態の情報を基地局装置に送信させる。
【０１２５】
（Ｊ）また、基地局装置は、移動速度に関する状態の情報に基づいて、移動局装置の移動速度に関する状態を推定する。
【０１２６】
（Ｋ）また、基地局装置は、推定した移動局装置の移動速度に関する状態を移動局装置に通知することによって、移動局装置の移動速度に関する状態を更新する。
【０１２７】
（Ｌ）また、本発明の実施形態における通信システムは、移動局装置と基地局装置から構成される通信システムであって、基地局装置は、移動局装置に対し、移動局装置の移動速度に関する状態の情報の送信を指示し、移動局装置は、移動速度に関する状態の情報を基地局装置に送信し、基地局装置からの通知に基づいて移動速度に関する状態の推定を開始または停止する。
【０１２８】
（Ｍ）また、本発明の実施形態における通信システムは、移動局装置と基地局装置から構成される通信システムであって、基地局装置は、移動局装置に対し、移動局装置の移動速度に関する状態の情報の送信を指示し、移動速度に関する状態の情報に基づいて移動局装置の移動速度に関する状態を推定し、推定した移動局装置の移動速度に関する状態を移動局装置に通知し、移動局装置は、移動速度に関する状態の情報を基地局装置に送信し、基地局装置から通知された移動局装置の移動速度に関する状態を更新し、更新した移動局装置の移動速度に関する状態に基づいてイベント条件を評価する。
【０１２９】
（Ｎ）また、本発明の実施形態における通信方法は、移動局装置と基地局装置から構成される通信システムにおける移動局装置の通信方法であって、移動局装置の移動速度に関する状態を推定するステップと、移動速度に関する状態の情報を基地局装置に送信するステップと、基地局装置からの通知に基づいて移動速度に関する状態の推定を開始または停止するステップと、を備える。
【０１３０】
（Ｏ）また、本発明の実施形態における通信方法は、移動局装置と基地局装置から構成される通信システムにおける移動局装置の通信方法であって、移動速度に関する状態の情報を基地局装置に送信するステップと、基地局装置から通知された移動局装置の移動速度に関する状態を更新するステップと、更新した移動局装置の移動速度に関する状態に基づいてイベント条件を評価するステップと、を備える。
【０１３１】
（Ｐ）また、本発明の実施形態における通信方法は、移動局装置と基地局装置から構成される通信システムの通信方法であって、基地局装置は、移動局装置に対し、移動局装置の移動速度に関する状態の情報の送信を指示するステップを備え、移動局装置は、移動速度に関する状態の情報を基地局装置に送信するステップと、基地局装置からの通知に基づいて移動速度に関する状態の推定を開始または停止するステップを備える。
【０１３２】
（Ｑ）また、本発明の実施形態における通信方法は、移動局装置と基地局装置から構成される通信システムの通信方法であって、基地局装置は、移動局装置に対し、移動局装置の移動速度に関する状態の情報の送信を指示するステップと、移動速度に関する状態の情報に基づいて移動局装置の移動速度に関する状態を推定するステップと、推定した移動局装置の移動速度に関する状態を移動局装置に通知するステップと、を備え、移動局装置は、移動速度に関する状態の情報を基地局装置に送信するステップと、基地局装置から通知された移動局装置の移動速度に関する状態を更新するステップと、更新した移動局装置の移動速度に関する状態に基づいてイベント条件を評価するステップと、を備える。
【０１３３】
（Ｒ）また、本発明の実施形態における集積回路は、移動局装置と基地局装置から構成される通信システムにおける移動局装置に搭載される集積回路であって、移動局装置の移動速度に関する状態を推定する機能と、移動速度に関する状態の情報を基地局装置に送信する機能と、基地局装置からの通知に基づいて移動速度に関する状態の推定を開始または停止する機能と、を有する。
【０１３４】
（Ｓ）また、本発明の実施形態における集積回路は、移動局装置と基地局装置から構成される通信システムにおける移動局装置に搭載される集積回路であって、移動速度に関する状態の情報を基地局装置に送信する機能と、基地局装置から通知された移動局装置の移動速度に関する状態を更新する機能と、更新した移動局装置の移動速度に関する状態に基づいてイベント条件を評価する機能と、を有する。
【０１３５】
（Ｔ）また、本発明の実施形態における集積回路は、移動局装置と基地局装置から構成される通信システムにおける基地局装置に搭載される集積回路であって、移動局装置に対し、移動局装置の移動速度に関する状態の情報の送信を指示する機能と、移動速度に関する状態の推定を開始または停止を通知する機能と、を有する。
【０１３６】
なお、以上説明した実施形態は単なる例示に過ぎず、様々な変形例、置換例を用いて実現することができる。例えば、本上りリンク送信方式は、ＦＤＤ（周波数分割復信）方式とＴＤＤ（時分割復信）方式のどちらの通信システムに対しても適用可能である。また、下りリンクの測定値は、パスロスや、それ以外の測定値（ＳＩＲ、ＳＩＮＲ、ＲＳＲＰ、ＲＳＲＱ、ＲＳＳＩ、ＢＬＥＲ）を代わり用いても良いし、これらの測定値の複数を組み合わせて使用することも可能である。また、実施形態で示される各パラメータの名称は、説明の便宜上呼称しているものであって、実際に適用されるパラメータ名称と本発明の実施形態のパラメータ名称とが異なっていても、本発明の実施形態において主張する発明の趣旨に影響するものではない。
【０１３７】
また、移動局装置１とは、移動する端末に限らず、固定端末に移動局装置１の機能を実装することなどにより本発明の実施形態を実現しても良い。移動局装置は、ユーザ端末、端末装置、通信端末、移動機、移動局、ＵＥ（Ｕｓｅｒ  Ｅｑｕｉｐｍｅｎｔ）、ＭＳ（Ｍｏｂｉｌｅ  Ｓｔａｔｉｏｎ）とも称される。基地局装置は、無線基地局装置、基地局、無線基地局、固定局、ＮＢ（Ｎｏｄｅ−Ｂ）、ｅＮＢ（ｅｖｏｌｖｅｄ  Ｎｏｄｅ−Ｂ）ＢＴＳ（Ｂａｓｅ  Ｔｒａｎｓｃｅｉｖｅｒ  Ｓｔａｔｉｏｎ）、ＢＳ（Ｂａｓｅ  Ｓｔａｔｉｏｎ）とも称される。
【０１３８】
また、説明の便宜上、実施形態の移動局装置１および基地局装置２を機能的なブロック図を用いて説明したが、移動局装置１および基地局装置２の各部の機能またはこれらの機能の一部を実現するための方法またはアルゴリズムのステップは、ハードウェア、プロセッサによって実行されるソフトウェアモジュール、またはこれら２つを組み合わせたものによって、直接的に具体化され得る。もしソフトウェアによって実装されるのであれば、その機能は、コンピュータ読み取り可能な媒体上の一つ以上の命令またはコードとして保持され、または伝達され得る。コンピュータ読み取り可能な媒体は、コンピュータプログラムをある場所から別の場所への持ち運びを助ける媒体を含むコミュニケーションメディアやコンピュータ記録メディアの両方を含む。
【０１３９】
そして、一つ以上の命令またはコードをコンピュータ読み取り可能な記録媒体に記録し、この記録媒体に記録された一つ以上の命令またはコードをコンピュータシステムに読み込ませ、実行することにより移動局装置１や基地局装置２の制御を行なっても良い。なお、ここでいう「コンピュータシステム」とは、ＯＳや周辺機器等のハードウェアを含むものとする。
【０１４０】
本発明の各実施形態に記載の動作をプログラムで実現してもよい。本発明の各実施形態に関わる移動局装置１および基地局装置２で動作するプログラムは、本発明の各実施形態に関わる上記実施形態の機能を実現するように、ＣＰＵ等を制御するプログラム（コンピュータを機能させるプログラム）である。そして、これら装置で取り扱われる情報は、その処理時に一時的にＲＡＭに蓄積され、その後、各種ＲＯＭやＨＤＤに格納され、必要に応じてＣＰＵによって読み出し、修正・書き込みが行なわれる。また、プログラムを実行することにより、上述した実施形態の機能が実現されるだけでなく、そのプログラムの指示に基づき、オペレーティングシステムあるいは他のアプリケーションプログラム等と共同して処理することにより、本発明の各実施形態の機能が実現される場合もある。
【０１４１】
また、「コンピュータ読み取り可能な記録媒体」とは、半導体媒体（例えば、ＲＡＭ、不揮発性メモリカード等）、光記録媒体（例えば、DVD、MO、MD、CD、BD等）、磁気記録媒体（例えば、磁気テープ、フレキシブルディスク等）等の可搬媒体、コンピュータシステムに内蔵されるディスクユニット等の記憶装置のことをいう。さらに、「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。
【０１４２】
また、上記プログラムは、前述した機能の一部を実現するためのものであっても良く、さらに、前述した機能をコンピュータシステムに既に記録されているプログラムとの組み合わせで実現できるものであっても良い。
【０１４３】
また、上記各実施形態に用いた移動局装置１および基地局装置２の各機能ブロック、または諸特徴は、本明細書で述べられた機能を実行するように設計された汎用用途プロセッサ、デジタルシグナルプロセッサ（ＤＳＰ）、特定用途向け集積回路（ＡＳＩＣ）、フィールドプログラマブルゲートアレイシグナル（ＦＰＧＡ）、またはその他のプログラマブル論理デバイス、ディスクリートゲートまたはトランジスタロジック、ディスクリートハードウェア部品、またはこれらを組み合わせたものによって、実装または実行され得る。汎用用途プロセッサは、マイクロプロセッサであっても良いが、代わりにプロセッサは従来型のプロセッサ、コントローラ、マイクロコントローラ、またはステートマシンであっても良い。
【０１４４】
プロセッサはまた、コンピューティングデバイスを組み合わせたものとして実装されても良い。例えば、ＤＳＰとマイクロプロセッサ、複数のマイクロプロセッサ、ＤＳＰコアと接続された一つ以上のマイクロプロセッサ、またはその他のそのような構成を組み合わせたものである。
【０１４５】
以上、この発明の実施形態について特定の具体例に基づいて詳述してきたが、本発明の各実施形態の趣旨ならびに特許請求の範囲は、これら特定の具体例に限定されないことは明らかである。すなわち、本明細書の記載は例示説明を目的としたものであり、本発明の各実施形態に対して何ら制限を加えるものではない。
【符号の説明】
【０１４６】
１…移動局装置
２…基地局装置
１０１、２０１…受信部
１０２、２０２…復調部
１０３、２０３…復号部
１０４…測定処理部
１０５、２０４…制御部
１０６…上りリンクバッファ制御部
１０７、２０５…符号部
１０８、２０６…変調部
１０９、２０７…送信部
１１０…上りリンク無線リソース要求制御部
１１１…ランダムアクセス制御部
１１２、２０８…上位レイヤ
２０９…ネットワーク信号送受信部
【図１】
2014023017.tif 000003
【図２】
2014023017.tif 000004
【図３】
2014023017.tif 000005
【図４】
2014023017.tif 000006
【図５】
2014023017.tif 000007